(57)【要約】【課題】印刷された文書の見た目に大きな影響を与えることなく、印刷された文書を識別することを可能にする情報処理装置を提供する。【解決手段】情報処理装置５０は、印刷対象の電子文書および印刷体裁の設定の入力を受け付ける入力部５１と、上記印刷体裁の設定に基づき上記電子文書を画像に変換する画像変換部５２と、上記画像に対して、上記電子文書に基づき印刷される文書を識別するためのＩＤを、機械読み取り可能な電子透かしとして所定の位置に埋め込むＩＤ埋め込み部５４とを備える。【選択図】図１
2008119992.tif 000002
【特許請求の範囲】
【請求項１】
印刷対象の電子文書および印刷体裁の設定の入力を受け付ける入力部と、
前記印刷体裁の設定に基づき前記電子文書を画像に変換する画像変換部と、
前記画像に対して、前記電子文書に基づき印刷される文書を識別するための識別情報を、機械読み取り可能な電子透かしとして所定の位置に埋め込む識別情報埋め込み部と、
を備えることを特徴とする情報処理装置。
【請求項２】
請求項１に記載の情報処理装置において、
前記画像の所定の領域内で、前記識別情報を人間が読み取り可能な画像として重畳するための所定の条件を満たす位置を探索する重畳位置探索部と、
前記重畳位置探索部により前記所定の条件を満たす位置が探索された場合、当該探索された位置に、前記識別情報を人間が読み取り可能な画像として重畳する識別情報画像重畳部と、
をさらに備えることを特徴とする情報処理装置。
【請求項３】
コンピュータに、
印刷対象の電子文書および印刷体裁の設定の入力を受け付けるステップと、
前記印刷体裁の設定に基づき前記電子文書を画像に変換するステップと、
前記画像に対して、前記電子文書に基づき印刷される文書を識別するための識別情報を、機械読み取り可能な電子透かしとして所定の位置に埋め込むステップと、
を実行させることを特徴とする情報処理プログラム。
【請求項４】
請求項３に記載の情報処理プログラムにおいて、
コンピュータに、さらに、
前記画像の所定の領域内で、前記識別情報を人間が読み取り可能な画像として重畳するための所定の条件を満たす位置を探索するステップと、
前記所定の条件を満たす位置が探索された場合、当該探索された位置に、前記識別情報を人間が読み取り可能な画像として重畳するステップと、
を実行させることを特徴とする情報処理プログラム。
【発明の詳細な説明】
【技術分野】
【０００１】
本発明は、情報処理装置および情報処理プログラムに関する。
【背景技術】
【０００２】
画像に対して情報を埋め込んだりオーバレイしたりする技術が知られている。
【０００３】
例えば、特許文献１には、付加情報を埋め込んだ画像を生成する画像処理装置であって、付加情報を埋め込むセルを生成し、付加情報埋め込みセルで表現する諧調値および付加情報のコード値に応じて、付加情報を埋め込むセルのみを２値化するものが開示されている。
【０００４】
また、特許文献２には、フォームとフィールドデータと地紋をオーバレイする印刷システムにおいて、地紋を配置するのに最適な領域を判定し、求められた最適な領域に地紋を配置するものが開示されている。
【０００５】
【特許文献１】特開２００２−１３５５５６号公報
【特許文献２】特開２００６−１１９３８号公報
【発明の開示】
【発明が解決しようとする課題】
【０００６】
本発明は、印刷された文書の見た目に大きな影響を与えることなく、印刷された文書を識別することを可能にする情報処理装置を提供する。
【課題を解決するための手段】
【０００７】
本発明に係る情報処理装置は、印刷対象の電子文書および印刷体裁の設定の入力を受け付ける入力部と、前記印刷体裁の設定に基づき前記電子文書を画像に変換する画像変換部と、前記画像に対して、前記電子文書に基づき印刷される文書を識別するための識別情報を、機械読み取り可能な電子透かしとして所定の位置に埋め込む識別情報埋め込み部と、を備えることを特徴とする。
【０００８】
本発明の一態様では、前記画像の所定の領域内で、前記識別情報を人間が読み取り可能な画像として重畳するための所定の条件を満たす位置を探索する重畳位置探索部と、前記重畳位置探索部により前記所定の条件を満たす位置が探索された場合、当該探索された位置に、前記識別情報を人間が読み取り可能な画像として重畳する識別情報画像重畳部と、をさらに備える。
【０００９】
本発明に係る情報処理プログラムは、コンピュータに、印刷対象の電子文書および印刷体裁の設定の入力を受け付けるステップと、前記印刷体裁の設定に基づき前記電子文書を画像に変換するステップと、前記画像に対して、前記電子文書に基づき印刷される文書を識別するための識別情報を、機械読み取り可能な電子透かしとして所定の位置に埋め込むステップと、を実行させることを特徴とする。
【００１０】
本発明の一態様では、コンピュータに、さらに、前記画像の所定の領域内で、前記識別情報を人間が読み取り可能な画像として重畳するための所定の条件を満たす位置を探索するステップと、前記所定の条件を満たす位置が探索された場合、当該探索された位置に、前記識別情報を人間が読み取り可能な画像として重畳するステップと、を実行させる。
【発明の効果】
【００１１】
本発明によれば、印刷された文書の見た目に大きな影響を与えることなく、印刷された文書を識別することを可能にする情報処理装置を提供することができる。
【発明を実施するための最良の形態】
【００１２】
以下、本発明の実施の形態を図面に従って説明する。
【００１３】
［システムの全体構成］
図１は、本実施の形態に係る情報処理装置を含むシステム１の構成を示すブロック図である。図１において、システム１は、印刷要求装置１０、印刷装置２０、および情報管理装置３０を含む。印刷装置２０は、プリントエンジン４０と情報処理装置５０とを含む。
【００１４】
本実施の形態では、印刷要求装置１０、情報管理装置３０、および情報処理装置５０は、ハードウェア資源とソフトウェアとの協働により実現される。ここで、ハードウェア資源としては、ＣＰＵ（Central Processing Unit）、ＲＯＭ（Read Only Memory）、メインメモリ、外部記憶装置、入力装置、表示装置、および通信装置などがある。また、ソフトウェアとしては、オペレーティングシステム（Operating System）や各種アプリケーションプログラムなどがある。具体的には、上記各装置の機能は、記録媒体に記録されたプログラムがメインメモリに読み出されてＣＰＵにより実行されることによって実現される。上記各装置のプログラムは、ＣＤ−ＲＯＭ等の記録媒体に記録されて提供されることも可能であるし、通信手段により提供されることも可能である。ただし、上記各装置の機能の一部または全部は、ハードウェアのみにより実現されてもよい。
【００１５】
また、本実施の形態では、印刷要求装置１０と印刷装置２０の情報処理装置５０とは、ＬＡＮ(Local Area Network)等により互いに接続されている。また、情報処理装置５０と情報管理装置３０とは、ＬＡＮ等により互いに接続されている。
【００１６】
印刷要求装置１０は、印刷装置２０に対して電子文書の印刷を要求する装置であり、例えばコンピュータである。具体的には、印刷要求装置１０は、印刷対象の電子文書および印刷体裁の設定を含む印刷ジョブを、印刷装置２０に対して送る。
【００１７】
印刷装置２０は、印刷要求装置１０からの要求に応じて、当該要求に係る電子文書を紙等の印刷媒体に印刷する装置である。印刷装置２０は、上述したとおり、プリントエンジン４０と情報処理装置５０とを有する。
【００１８】
プリントエンジン４０は、情報処理装置５０から印刷用画像（例えばビットマップ画像）の入力を受け付け、電子写真方式やインクジェット方式等の適宜の印刷方式により、入力された印刷用画像を紙等の印刷媒体に印刷する装置である。
【００１９】
情報処理装置５０は、印刷要求装置１０から印刷対象の電子文書および印刷体裁の設定の入力を受け付け、入力された電子文書および印刷体裁の設定に基づいて印刷用画像を生成し、当該印刷用画像をプリントエンジン４０に出力する装置である。本実施の形態では、情報処理装置５０は、印刷体裁の設定に基づき電子文書を画像に変換し、当該画像に対して、電子文書に基づき印刷される文書を識別するための識別情報（以下、「ＩＤ」と称す）を付加し、当該ＩＤが付加された画像を印刷用画像としてプリントエンジン４０に出力する。情報処理装置５０は、例えば、印刷装置２０全体を制御するプリンタコントローラである。上記ＩＤとしては、例えばＵＵＩＤ（Universally Unique Identifier）が採用される。ＵＵＩＤは、世界中で重複することがなく、ユニークであることが保証された１２８ビットの２進数値である。
【００２０】
情報管理装置３０は、印刷装置２０による印刷処理に関する情報を管理する装置であり、例えばコンピュータである。
【００２１】
［情報処理装置５０および情報管理装置３０の機能構成］
以下、情報処理装置５０および情報管理装置３０の機能構成について、より詳しく説明する。
【００２２】
情報処理装置５０は、機能ブロックとして、入力部５１、画像変換部５２、ＩＤ画像重畳部５３、およびＩＤ埋め込み部５４を有する。
【００２３】
入力部５１は、印刷対象の電子文書および印刷体裁の設定の入力を受け付ける。ここで、印刷対象の電子文書は、アプリケーションソフト（例えば、文書作成ソフト、表計算ソフト、プレゼンテーションソフト、ＰＤＦ（Portable Document Format）など）の文書データや、当該文書データから生成されたＰＤＬ（Page Description Language：ページ記述言語）データである。印刷体裁の設定は、余白の設定や、１枚の印刷用紙にＮページ（Ｎは２以上の整数）をまとめて印刷する機能に関する設定（いわゆるＮアップ機能に関する設定）など、印刷される文書の体裁に関する設定である。具体的には、入力部５１は、印刷要求装置１０から、印刷対象の電子文書および印刷体裁の設定を含む印刷ジョブを受け付ける。
【００２４】
画像変換部５２は、入力部５１に入力された印刷体裁の設定に基づき、入力部５１に入力された電子文書を画像に変換する。すなわち、画像変換部５２は、印刷体裁の設定に基づき、電子文書をレンダリングしてレンダリング画像を生成する。ここで、画像変換部５２により生成される画像は、画像データであり、典型的にはビットマップ画像である。以下、画像変換部５２により生成される画像を「レンダリング画像」と称する。
【００２５】
ＩＤ画像重畳部５３は、重畳位置探索部５３ａを含む。重畳位置探索部５３ａは、画像変換部５２により生成されたレンダリング画像の所定の領域内で、ＩＤを人間が読み取り可能な画像として重畳するための所定の条件を満たす位置を探索する。以下、ＩＤを人間が読み取り可能な態様で表した画像を「ＩＤ画像」と称する。
【００２６】
本実施の形態では、重畳位置探索部５３ａは、利用者からの重畳領域の指定を受け付け、指定された重畳領域内で探索を行う。ただし、上記探索の対象となる所定の領域は、予め固定的に決められていてもよい。
【００２７】
上記所定の条件としては、例えば、ＩＤ画像がレンダリング画像上の無地以外の部分に重ならないことや、ＩＤ画像がレンダリング画像上の所定の要素（文字や図形など）と重ならないことなどが挙げられる。本実施の形態では、重畳位置探索部５３ａは、利用者からの重畳条件の指定を受け付け、当該指定された重畳条件を満たす位置を探索する。ただし、上記所定の条件は、予め固定的に決められていてもよい。
【００２８】
分かり易く言えば、重畳位置探索部５３ａは、レンダリング画像の所定の領域内で、ＩＤ画像の重畳に適した位置を探索する。ここで、ＩＤ画像の重畳に適した位置は、適宜に定義されればよい。
【００２９】
ＩＤ画像重畳部５３は、重畳位置探索部５３ａにより所定の条件を満たす位置が探索された場合、当該探索された位置に、ＩＤを人間が読み取り可能な画像として重畳する。具体的には、ＩＤ画像重畳部５３は、付加されるべきＩＤを取得し、当該ＩＤを人間が読み取り可能な態様で表すＩＤ画像を生成し、当該ＩＤ画像を探索された位置に重畳する。例えば、ＩＤは１２８ビットの２進数値であり、ＩＤ画像は英数字３２文字のテキスト画像である。
【００３０】
本実施の形態では、ＩＤ画像重畳部５３は、上記付加されるべきＩＤを情報管理装置３０から取得する。ただし、付加されるべきＩＤは、印刷装置２０内で生成されてもよい。
【００３１】
所定の条件を満たす位置が探索されなかった場合の処理としては、例えば、ＩＤ画像の重畳を行わないことや、所定の位置にＩＤ画像を重畳することなどが挙げられる。本実施の形態では、ＩＤ画像重畳部５３は、所定の条件を満たす位置が探索されなかった場合の処理の指定を利用者から受け付け、探索されなかった場合には、当該指定された処理を実行する。ただし、探索されなかった場合の処理は、予め固定的に決められていてもよい。
【００３２】
ＩＤ埋め込み部５４は、画像変換部５２により生成されたレンダリング画像に対して、ＩＤを機械読み取り可能な電子透かしとして所定の位置に埋め込む。そして、ＩＤ埋め込み部５４は、ＩＤが埋め込まれたレンダリング画像を印刷用画像としてプリントエンジン４０に出力する。
【００３３】
本実施の形態では、ＩＤ埋め込み部５４は、特許文献１に記載されている電子透かし技術を用いて、ＩＤをレンダリング画像の所定の位置に埋め込む。ただし、他の電子透かし技術が採用されてもよい。好ましい態様では、ＩＤ埋め込み部５４は、レンダリング画像上の元の情報の可読性を損なうことなくＩＤを埋め込む。より好ましい態様では、ＩＤ埋め込み部５４は、ＩＤを実質的に不可視（準不可視）の状態で埋め込む。
【００３４】
また、本実施の形態では、ＩＤ埋め込み部５４は、埋め込むべきＩＤを情報管理装置３０から取得する。ただし、埋め込むべきＩＤは、印刷装置２０内で生成されてもよい。
【００３５】
また、本実施の形態では、ＩＤ埋め込み部５４は、利用者からの埋め込み位置の指定を受け付け、当該指定された埋め込み位置にＩＤを埋め込む。ただし、ＩＤが埋め込まれるべき所定の位置は、予め固定的に決められていてもよい。
【００３６】
また、本実施の形態では、ＩＤ埋め込み部５４は、ＩＤ画像重畳部５３によりＩＤ画像が重畳されたレンダリング画像に対して、ＩＤの埋め込みを行う。ただし、ＩＤ埋め込み部５４によるＩＤの埋め込みは、ＩＤ画像重畳部５３によるＩＤ画像の重畳の前に実行されてもよい。
【００３７】
上記のとおり、本実施の形態では、印刷装置２０の情報処理装置５０は、重畳領域の指定、重畳条件の指定、所定の条件を満たす位置が探索されなかった場合の処理の指定、および埋め込み位置の指定を受け付ける。これらの指定は、例えば、印刷装置２０のユーザインタフェースや、印刷要求装置１０等の外部の装置を介して、印刷装置２０の情報処理装置５０に入力される。また、これらの指定の一部または全部は、印刷要求装置１０からの印刷ジョブに含まれてもよい。
【００３８】
情報管理装置３０は、ＩＤ生成部３１、情報記憶部３２、および情報提供部３３を有する。
【００３９】
ＩＤ生成部３１は、印刷装置２０により電子文書に基づき印刷される文書を識別するための識別情報（ＩＤ）を生成する。そして、ＩＤ生成部３１は、生成されたＩＤと、印刷処理に関する情報とを情報記憶部３２に関連付けて登録する。ここで、印刷処理に関する情報は、印刷者、印刷日時、印刷場所、あるいは印刷文書の内容、またはこれらの組み合わせを示す情報である。分かり易く言えば、印刷処理に関する情報は、誰が、いつ、どこで、何を印刷したかを示すログ情報である。以下、印刷処理に関する情報を「印刷ログ情報」と称する。
【００４０】
本実施の形態では、印刷装置２０の入力部５１は、印刷要求装置１０から印刷ジョブを受け付けると、当該印刷ジョブに対応する印刷ログ情報をＩＤ生成部３１に送る。ここで、印刷ログ情報には、例えば、印刷要求装置１０から取得された当該装置１０にログインしているユーザのユーザ名や、印刷装置２０の内部時計に基づく現在日時、印刷装置２０のＩＰアドレス、電子文書のサムネイル画像などが含まれる。ＩＤ生成部３１は、入力部５１から印刷ログ情報を受け取ると、当該印刷ログ情報に対応するＩＤを生成し、当該ＩＤと印刷ログ情報とを情報記憶部３２に関連付けて登録する。また、ＩＤ生成部３１は、生成されたＩＤを印刷装置２０の情報処理装置５０に送る。
【００４１】
情報記憶部３２は、ＩＤ生成部３１からＩＤおよび印刷ログ情報を受け取り、これらを互いに関連付けて記憶する。
【００４２】
情報提供部３３は、ＩＤの提示を受けると、当該ＩＤに関連付けられている印刷ログ情報を情報記憶部３２から読み出し、当該印刷ログ情報を提供する。例えば、情報提供部３３は、パーソナルコンピュータ等の情報取得装置６０からＩＤの提示を受けると、当該ＩＤに関連付けられている印刷ログ情報を、情報記憶部３２から読み出して当該情報取得装置６０に提供する。情報取得装置６０は、例えば、情報提供部３３から取得した印刷ログ情報を表示画面上に表示させる。
【００４３】
［電子文書を印刷する際の動作］
図２は、印刷装置２０の情報処理装置５０の動作手順を示すフローチャートである。図３は、情報管理装置３０の動作手順を示すフローチャートである。以下、図２，３を参照して、電子文書を印刷する際のシステム１の動作について具体的に説明する。なお、ここでは、情報処理装置５０は、重畳領域の指定、重畳条件の指定、所定の条件を満たす位置が探索されなかった場合の処理の指定、および埋め込み位置の指定を予め受け付けているものとする。ここで、所定の条件を満たす位置が検索されなかった場合の処理としては、ＩＤ画像の重畳を行わないことが指定されているものとする。
【００４４】
図２において、情報処理装置５０は、印刷要求装置１０から、印刷対象の電子文書および印刷体裁の設定を含む印刷ジョブを受け付けると（Ｓ１１）、当該印刷ジョブに係る印刷ログ情報を情報管理装置３０に送る（Ｓ１２）。
【００４５】
図３において、情報管理装置３０は、情報処理装置５０から印刷ログ情報を受けると（Ｓ２１）、当該印刷ログ情報に対応するＩＤを生成する（Ｓ２２）。そして、情報管理装置３０は、生成されたＩＤと印刷ログ情報とを互いに関連付けて情報記憶部３２に登録する。また、情報管理装置３０は、生成されたＩＤを情報処理装置５０に送る（Ｓ２３）。
【００４６】
図２において、情報処理装置５０は、情報管理装置３０から上記ＩＤを受け取る（Ｓ１３）。ついで、情報処理装置５０は、ステップＳ１１で受け付けた電子文書および印刷体裁の設定から、レンダリング画像を生成する（Ｓ１４）。
【００４７】
ついで、情報処理装置５０は、上記受け取ったＩＤから人間が読み取り可能なＩＤ画像を生成する（Ｓ１５）。
【００４８】
ついで、情報処理装置５０は、上記生成されたレンダリング画像上の予め指定された重畳領域内で、予め指定された重畳条件を満たす位置を探索する（Ｓ１６）。
【００４９】
上記探索の結果、重畳条件を満たす位置が探索できた場合には（Ｓ１７：ＹＥＳ）、情報処理装置５０は、レンダリング画像の上記探索された位置に、上記生成されたＩＤ画像を重畳する（Ｓ１８）。
【００５０】
一方、重畳条件を満たす位置が探索できなかった場合には（Ｓ１７：ＮＯ）、レンダリング画像に対するＩＤ画像の重畳は行われない。
【００５１】
ついで、情報処理装置５０は、特許文献１に記載の技術を用いて、レンダリング画像に対して、ＩＤを機械読み取り可能な電子透かしとして予め指定された埋め込み位置に埋め込む（Ｓ１９）。そして、情報処理装置５０は、ＩＤが埋め込まれたレンダリング画像を印刷用画像としてプリントエンジン４０に出力する。プリントエンジン４０は、例えば印刷用画像に基づいて潜像形成用のレーザのオン／オフを制御して、印刷用画像を紙等の印刷媒体に印刷する。
【００５２】
図４は、本実施の形態における、印刷対象の電子文書（オリジナルの文書）をレンダリングして得られたレンダリング画像の一例を示す図である。図４では、フッターに日付「２００６／７／１９」が記載されている。
【００５３】
図５は、本実施の形態における、印刷された文書の一例を示す図である。図５の例では、重畳領域としてフッター領域５０１が指定されており、重畳条件として「ＩＤ画像が文書上の文字と重ならないこと」が指定されている。これにより、フッター領域５０１内で、ＩＤ画像が文書上の文字と重ならない位置５０２が探索され、当該位置５０２にＩＤ画像（英数字３２文字）が重畳されている。また、図５の例では、埋め込み位置としてフッター領域の特定の位置５０３が指定されている。これにより、フッター領域の特定の位置５０３に、機械読み取り可能な状態でコード化されたＩＤが埋め込まれている。
【００５４】
図６は、本実施の形態における、印刷された文書の他の一例を示す図である。図６の例では、重畳領域としてヘッダー領域６０１およびフッター領域６０２が指定されており、重畳条件として「ＩＤ画像が文書上の文字と重ならないこと」が指定されている。また、情報処理装置５０に対して、ヘッダー領域６０１→フッター領域６０２の順序で探索すべき旨の指示がなされており、情報処理装置５０は当該順序に従って探索を行う。これにより、ヘッダー領域６０１内で、ＩＤ画像が文書上の文字と重ならない位置６０３が探索され、当該位置６０３にＩＤ画像（英数字３２文字）が重畳されている。また、図６の例では、埋め込み位置としてフッター領域の特定の位置６０４が指定されている。これにより、フッター領域の特定の位置６０４に、機械読み取り可能な状態でコード化されたＩＤが埋め込まれている。
【００５５】
［印刷ログ情報を確認する際の動作］
利用者は、ある印刷文書（例えば紙文書）の印刷ログ情報を確認したい場合、分かり易く言えば、ある印刷文書について「いつ」、「誰が」、または「どこで」印刷したものであるかを知りたい場合、当該印刷文書に付加されているＩＤを情報取得装置６０に対して入力する。
【００５６】
第１の入力方法では、利用者は、当該印刷文書に付されているＩＤ画像（例えばテキスト文字列）を目視で読み取ってＩＤを認識し、当該ＩＤを、キーボード等のユーザインタフェースを用いて情報取得装置６０に手入力する。
【００５７】
第２の入力方法では、利用者は、当該印刷文書に電子透かしとして埋め込まれているＩＤを読み取らせる。この場合、情報取得装置６０は、当該印刷文書の画像をスキャナ等により光学的に読み取り、得られた画像を解析してＩＤを抽出する。
【００５８】
情報取得装置６０は、上記入力されたＩＤを含む情報提供要求を、情報管理装置３０に送る。
【００５９】
情報管理装置３０は、情報取得装置６０から上記情報提供要求を受けると、当該要求に含まれるＩＤに対応する印刷ログ情報を、情報記憶部３２から読み出して情報取得装置６０に送る。
【００６０】
情報取得装置６０は、情報管理装置３０から印刷ログ情報を受け取ると、当該印刷ログ情報を利用者に提示する。例えば、情報取得装置６０は、当該印刷ログ情報を表示画面上に表示させたり、印刷装置に印刷させたりする。
【００６１】
以上説明した本実施の形態によれば、下記（１）〜（４）の効果が得られ得る。
【００６２】
（１）本実施の形態では、情報処理装置は、印刷対象の電子文書および印刷体裁の設定の入力を受け付け、上記印刷体裁の設定に基づき上記電子文書を画像に変換し、当該画像に対して、上記電子文書に基づき印刷される文書を識別するためのＩＤを、機械読み取り可能な電子透かしとして所定の位置に埋め込む。このため、本実施の形態によれば、印刷された文書の見た目に大きな影響を与えることなく、印刷された文書を識別することを可能にすることができる。
【００６３】
具体的には、例えば、印刷文書に埋め込まれているＩＤに基づき、いつ印刷されたものか、誰により印刷されたものか等を確認することが可能となる。これにより、漏洩情報の漏洩元の確認が可能となる。
【００６４】
また、ＩＤを電子透かしとして所定の位置に埋め込むので、バーコードや２次元コードなどの可視コードとしてＩＤを埋め込む場合や、ＩＤを地紋コードとしてページ全面に埋め込む場合と比較して、文書の見た目に大きな影響を与えることがない。
【００６５】
また、ＩＤは機械読み取り可能であるので、自動原稿送り装置（ＡＤＦ）等を用いて大量の印刷文書のＩＤを自動的に読み取ることが可能である。このため、ＩＤを目で読み取って手入力する場合と比較して、大量の印刷文書のログ情報を確認する際の利用者の負荷が軽減される。
【００６６】
（２）本実施の形態では、情報処理装置は、上記画像に対してＩＤを人間が読み取り可能な画像として重畳する。このため、本実施の形態によれば、利用者は、スキャナや解析ソフト等の特別なツールを用いることなく、ＩＤを認識することができる。このため、例えば、利用者は、特別なツールを用いることなく、手入力作業により印刷文書のログ情報を確認することが可能となる。
【００６７】
（３）本実施の形態では、情報処理装置は、上記画像の所定の領域内で、上記ＩＤを人間が読み取り可能な画像として重畳するための所定の条件を満たす位置を探索し、上記所定の条件を満たす位置が探索された場合、当該探索された位置に、上記ＩＤを人間が読み取り可能な画像として重畳する。このため、本実施の形態によれば、ＩＤを人間が読み取り可能な態様で表す画像を、重畳に適した位置に配置することが可能となる。
【００６８】
例えば、フッターなどの固定位置に強制的にＩＤを印字する構成では、図７に示されるとおり、フッターに記載情報があるときにＩＤと重なってしまい両者とも判読不能になってしまうケースがある。これに対し、本実施の形態では、記載情報と重ならない位置に選択的にＩＤを配置することが可能となり、上記不都合を回避または軽減することが可能となる。
【００６９】
（４）本実施の形態では、情報処理装置は、印刷対象の画像に対して、ＩＤを機械読み取り可能な電子透かしとして埋め込むとともに、ＩＤを人間読み取り可能な画像として重畳する。このため、本実施の形態によれば、機械読み取りおよび人間読み取りの両方によるＩＤの取得が可能となる。これにより、例えば、利用者は、スキャナや解析ソフト等の機械読み取り用のツールが近くに存在する場合にはＩＤに基づくサービスをツールによる自動作業により受けることができ、存在しない場合でもＩＤに基づくサービスを手入力作業により受けることができる。
【００７０】
なお、本発明は、上記実施の形態に限定されるものではなく、本発明の要旨を逸脱しない範囲内で種々変更することができる。
【００７１】
例えば、情報処理装置５０の機能の一部または全部は、印刷装置２０以外の装置（例えば印刷要求装置１０や情報管理装置３０など）により実現されてもよい。すなわち、本実施の形態に係る情報処理装置は、物理的に複数の装置により構成されてもよい。また、情報管理装置３０の機能の一部または全部は、情報管理装置３０以外の装置（例えば印刷装置２０や印刷要求装置１０など）により実現されてもよい。
【００７２】
また、上記実施の形態では、印刷ジョブに対してＩＤを生成する構成を例示したが、印刷ページ１枚１枚に対してＩＤを生成することとしてもよい。
【００７３】
また、上記実施の形態では、ＩＤ画像を重畳する構成を例示したが、ＩＤ画像の重畳は省略されてもよい。すなわち、図１において、ＩＤ画像重畳部５３は省略可能である。
【図面の簡単な説明】
【００７４】
【図１】実施の形態に係る情報処理装置を含むシステムの構成を示すブロック図である。
【図２】印刷装置の情報処理装置の動作手順を示すフローチャートである。
【図３】情報管理装置の動作手順を示すフローチャートである。
【図４】実施の形態における、印刷対象の電子文書をレンダリングして得られたレンダリング画像の一例を示す図である。
【図５】実施の形態における、印刷された文書の一例を示す図である。
【図６】実施の形態における、印刷された文書の他の一例を示す図である。
【図７】ＩＤが固定位置に印字される場合における、印刷された文書の一例を示す図である。
【符号の説明】
【００７５】
１  システム、１０  印刷要求装置、２０  印刷装置、３０  情報管理装置、４０  プリントエンジン、５０  情報処理装置、５１  入力部、５２  画像変換部、５３  ＩＤ画像重畳部、５３ａ  重畳位置探索部、５４  ＩＤ埋め込み部、６０  情報取得装置。
【図１】
2008119992.tif 000003
【図２】
2008119992.tif 000004
【図３】
2008119992.tif 000005
【図４】
2008119992.tif 000006
【図５】
2008119992.tif 000007
【図６】
2008119992.tif 000008
【図７】
2008119992.tif 000009